(57)【要約】【課題】  ヒータボックスからの熱の影響を受けずに、キャビネット内部を効率よく冷却する。【解決手段】  キャビネット２の側壁２ａに対向するヒータボックス１の外表面１ａの周囲を取り込むように隔壁１１を設ける。隔壁１１とキャビネット２とヒータボックス１とによって、キャビネット２の内部空間から隔離された隔離空間１２が形成される。ヒータボックス１の左右にソリッドステートリレー４、高圧コンデンサ３がそれぞれ配置される。冷却用の通風路は、隔離空間１２を通らず、ヒータボックス１の周囲にあるソリッドステートリレー４と高圧コンデンサ３を通って、送風機７に至る。【選択図】  図１
2005180801.tif 000002
【特許請求の範囲】
【請求項１】
キャビネットに、加熱調理時に熱を発する発熱源と、該発熱源を覆うカバー部材と、加熱調理を制御するための制御部品と、冷却用の送風機とが内装され、前記カバー部材は、前記キャビネットの壁面に対向して配置され、前記キャビネット内に、前記制御部品を冷却する風が流れる通風路が形成され、前記カバー部材の前記キャビネットに対向する外表面が前記通風路と隔離されたことを特徴とする加熱調理器。
【請求項２】
キャビネットに、加熱調理時に熱を発する発熱源と、該発熱源を覆うカバー部材と、加熱調理を制御するための制御部品と、冷却用の送風機とが内装され、前記カバー部材は、前記キャビネットの壁面に対向して配置され、前記カバー部材の外表面を囲む隔壁が設けられ、該隔壁と前記カバー部材の外表面と前記キャビネットの壁面とによって、前記キャビネットの内部空間から隔離された隔離空間が形成され、前記内部空間に、前記制御部品を冷却する風が流れる通風路が形成されたことを特徴とする加熱調理器。
【請求項３】
通風路の吸気口は、カバー部材の外表面に対向するキャビネットの壁面を避けて形成されたことを特徴とする請求項１または２記載の加熱調理器。
【請求項４】
キャビネット内に、加熱調理時に熱を発する発熱源が設けられ、該発熱源を覆うカバー部材が前記キャビネットの壁面に対向して配され、前記カバー部材の周囲に、加熱調理を制御するための制御部品が配され、前記カバー部材の前記キャビネットの壁面と対向する外表面に、隔壁が設けられ、該隔壁によって前記カバー部材とキャビネットの壁面との間に隔離空間が形成され、前記キャビネットの壁面の前記隔離空間に面する部分を避けた位置に、吸気口が形成され、前記キャビネット内に、前記吸気口から前記カバー部材の周囲に位置する前記制御部品を通る通風路が形成され、該通風路と前記隔離空間とは隔離され、前記通風路の前記制御部品よりも下流側に送風機が配されたことを特徴とする加熱調理器。
【発明の詳細な説明】
【技術分野】
【０００１】
本発明は、ヒータやマイクロ波によって加熱調理を行う加熱調理器に関する。
【背景技術】
【０００２】
ヒータ加熱およびマイクロ波加熱を行う加熱調理器において、キャビネット内の加熱庫に取り付けられたヒータはヒータボックスに覆われている。ヒータボックスにより、ヒータはキャビネットの内部空間に露出しない。そのため、キャビネットの内部は、ヒータの熱による影響を直接受けない。ただし、ヒータボックスの外表面は、ヒータの熱によって温度が高くなる。
【０００３】
加熱調理時には、ヒータだけでなく、加熱調理を制御するための制御部品から熱が発生する。このような発熱源からの熱によって、キャビネットの内部が高温となる。この熱影響を減らすために、キャビネットの内部では送風機による冷却が行われる。
【０００４】
例えば、特許文献１の加熱調理器では、キャビネットの吸気口、送風機の吸込口、送風機の吹出口、制御部品、ヒータボックス、キャビネットの排気口を経て、キャビネット外に至る送風路が形成される。まず、冷たい風で制御部品が冷却され、その後ヒータボックス、キャビネットの壁面が冷却される。
【０００５】
この場合、制御部品をヒータボックスより吸気口側に、ヒータボックスは制御部品よりも排気口側に配置にするといったように、送風路において部品の配置が制限される。しかも、制御部品やヒータボックスによって温められた風によって、キャビネットの壁面を冷却するが、キャビネットを十分に冷却することはできない。
【０００６】
また、図５、６に示すように、ヒータボックス１がキャビネット２の側壁２ａに対向して配置された構造の加熱調理器では、ヒータボックス１の周囲に、制御部品である高圧コンデンサ３、ソリッドステートリレー４等が配置される。なお、図中、５は加熱庫、６は扉、７は送風機である。
【０００７】
熱を発するヒータボックス１や制御部品を冷却するために、図７に示すように、キャビネット２の側壁２ａに吸気口８が形成される。ヒータボックス１の外表面１ａは、吸気口８が形成された側壁２ａに対向している。送風機７の駆動によって、図８に示すように、吸気口８から吸い込まれた空気は、ヒータボックス１の外表面１ａに沿って流れ、制御部品を冷却してから送風機７の吸込口９に吸い込まれ、キャビネット２の排気口から外部に排気される。
【特許文献１】特開平６−８２０４６号公報
【発明の開示】
【発明が解決しようとする課題】
【０００８】
図７に示すように配置されている場合、冷却風の流れ方向において、制御部品は、ヒートボックス１の上流側および下流側に位置する。ヒートボックス１よりも下流側に位置する高圧コンデンサ３は、ヒータボックス１によって温められた風によって冷却される。そのため、十分な冷却効果が得られない。
【０００９】
また、キャビネット２の吸気口８がヒータボックス１に対向して位置しているため、図６に示すように、ヒータボックス１からの輻射熱が吸気口８を通じてキャビネット２の外部に放射される。キャビネット２の外側に壁１０や他の調理機器があると、その表面温度が上がり、熱の悪影響を受ける。しかも、キャビネット２と壁１０との間の高温になった空気が吸気口８から吸い込まれるので、ますます冷却効果が低下する。
【００１０】
本発明は、上記に鑑み、ヒータボックスからの熱の影響を受けずに、キャビネット内部を効率よく冷却できる加熱調理器の提供を目的とする。
【課題を解決するための手段】
【００１１】
本発明は、キャビネットに、加熱調理時に熱を発する発熱源と、該発熱源を覆うカバー部材と、加熱調理を制御するための制御部品と、冷却用の送風機とが内装され、前記カバー部材は、前記キャビネットの壁面に対向して配置され、前記キャビネット内に、前記制御部品を冷却する風が流れる通風路が形成され、前記カバー部材の前記キャビネットに対向する外表面が前記通風路と隔離されたものである。
【００１２】
カバー部材の外表面を通風路から隔離するには、カバー部材の外表面を囲む隔壁を設ける。隔壁とカバー部材の外表面とキャビネットの壁面とによって、キャビネットの内部空間から隔離された隔離空間が形成される。この内部空間には、通風路が形成されている。通風路の吸気口は、カバー部材の外表面に対向するキャビネットの壁面を避けて形成される。
【００１３】
すなわち、キャビネット内に、加熱調理時に熱を発する発熱源が設けられ、該発熱源を覆うカバー部材がキャビネットの壁面に対向して配される。カバー部材の周囲に、加熱調理を制御するための制御部品が配され、カバー部材のキャビネットの壁面と対向する外表面に、隔壁が設けられる。隔壁によってカバー部材とキャビネットの壁面との間に隔離空間が形成され、キャビネットの壁面の隔離空間に面する部分を避けた位置に、吸気口が形成される。キャビネット内に、吸気口からカバー部材の周囲に位置する制御部品を通る通風路が形成され、通風路と隔離空間とは隔離され、通風路の制御部品よりも下流側に送風機が配される。
【００１４】
これによって、通風路は、高温となるカバー部材の外表面を通らない。通風路を流れる風はカバー部材によって温められないので、制御部品は冷たい風によって効率よく冷却される。また、カバー部材から放射される熱は、隔離空間によって遮断されるとともに、吸気口から外部に放射されない。そのため、カバー部材に対向したキャビネットの壁面の温度上昇を低減できるとともに、キャビネット近傍の温度上昇を抑えれる。
【発明の効果】
【００１５】
本発明によると、熱を発するカバー部材を避けて通風路が形成されるので、冷却用の風の温度が高くならず、キャビネット内部を効率よく冷却することができる。このように、通風路はカバー部材の熱影響を受けないので、通風路内に配置される部品を確実に冷却できる。したがって、部品の配置の制約がなくなり、キャビネット内部のレイアウトの自由度が増し、キャビネットの省スペース化を図れる。
【発明を実施するための最良の形態】
【００１６】
本実施形態の加熱調理器を図１、２に示す。加熱調理器は、ヒータによる加熱調理およびマイクロ波による加熱調理を行う従来と同じものである。従来と同じ構成部材には、同一符号を付している。
【００１７】
加熱庫５の側面に取り付けられた発熱源であるヒータが、カバー部材であるヒータボックス１によって覆われている。ヒータボックス１は、四角い箱状であり、加熱庫５に取り付けられている。ヒータボックス１の外表面１ａは、キャビネット２の側壁２ａに対向しており、ヒータボックス１とキャビネット２との間には隙間がある。この外表面１ａを取り囲むように、隔壁１１が設けられている。
【００１８】
隔壁１１は、ヒータボックス１の外周に沿って四角い枠状に形成される。隔壁１１は、弾力性を有するクッション材が用いられ、ヒータボックス１の外表面１ａに貼着され、この外表面１ａおよびキャビネット２の側壁２ａに密着している。したがって、隔壁１１とヒータボックス１の外表面１ａとキャビネット２の側壁２ａとによって囲まれた隔離空間１２が形成される。隔離空間１２は、キャビネット２の内部空間から隔離された空間であり、空気断熱層として機能する。
【００１９】
なお、内部空間は、加熱庫５の周囲の空間であり、この空間内に高圧コンデンサ３、ソリッドステートリレー４、制御回路基板等の制御部品および送風機７等が配置される。この内部空間において、ヒータボックス１を挟んで前側にソリッドステートリレー４、背面側に高圧コンデンサ３がそれぞれ位置している。送風機７は、加熱庫５の背面側に位置し、その吸込口９は、前側に向かって形成される。キャビネット２の背壁に図示しない排気口が形成される。
【００２０】
図３に示すように、ヒータボックス１と対向するキャビネット２の側壁２ａに吸気口８が形成されている。この側壁２ａの隔離空間１２に面する領域であるヒータボックス１に対応した断熱領域には、吸気口８は形成されていない。吸気口８は、断熱領域の下側および前側に位置している。
【００２１】
キャビネット２の内部空間には、加熱調理時に熱を発するヒータボックス１、制御部品等を冷却するために通風路が形成される。通風路は、吸気口８から加熱庫５の側方を通って、背面側に向かい、排気口に至る。また、通風路は、隔離空間１２によって分岐され、再び集合して送風機７に至る。分岐された通風路は、ソリッドステートリレー４を通る経路と、高圧コンデンサ３を通る経路となる。そのため、吸気口８は、側壁２ａにおいて通風路の上流側となるように、排気口から遠い側、すなわち断熱領域の下側および前側に形成される。前側の吸気口８はソリッドステートリレー４を通る経路に通じ、下側の吸気口８は高圧コンデンサ３を通る経路に通じる。
【００２２】
上記構成における冷却時の風の流れを説明する。図４に示すように、送風機７が駆動すると、吸気口８から外気が吸い込まれる。前側に位置する吸気口８からの風は、ヒータボックス１に沿って前側から上側に流れる。このとき、ソリッドステートリレー４を冷却する。下側に位置する吸気口８からの風は、ヒータボックス１に沿って下側から背面側に流れる。このとき、高圧コンデンサ３を冷却する。これらの制御部品を冷却した風は、送風機７に吸い込まれ、送風機７よりも下流側に配置された他の部品を冷却した後、排気口から外部に排気される。
【００２３】
また、ヒータボックス１の側面に沿って流れるので、ヒータボックス１も冷却する。しかし、最も高温となるヒータボックス１の外表面１ａは、隔壁１１によって通風路から隔離されているので、この外表面１ａに沿って風は流れない。したがって、通風路を流れる風は温められることがなく、外気に近い温度の風によって効率的に制御部品を冷却できる。
【００２４】
しかも、制御部品はヒータボックス１よりも高温とならないので、制御部品を冷却した後の風の温度上昇は少ない。そこで、送風機７の下流側に位置する他の部品を冷却するための風として利用できる。これによって、冷却効率が上がるので、大型の送風機７を使用したり、送風機の風量を上げる必要がなくなり、小型の送風機７でも十分に冷却でき、低消費電力化も図れる。
【００２５】
そして、ヒータボックス１の外表面１ａから放射される輻射熱は、隔離空間１２によって断熱される。輻射熱によるキャビネット２の側壁２ａの温度上昇が抑えられる。しかも、側壁２ａの断熱領域には吸気口８がないので、隔離空間１２内の温められた空気は外部に漏れ出さない。そのため、この側壁２ａの近傍に壁１０や他の調理機器があっても、高温にはならない。
【００２６】
なお、本発明は、上記実施形態に限定されるものではなく、本発明の範囲内で上記実施形態に多くの修正および変更を加え得ることは勿論である。ヒータボックスの外周を覆う筒を設け、筒をキャビネットおよび加熱庫に密着させてもよい。これによって、筒が隔壁となり、筒の内部はキャビネットの内部空間から隔離され、隔離空間を形成できる。
【００２７】
ヒータのないマイクロ波加熱だけの加熱調理器に適用してもよい。この場合、ヒータボックスに代わり、高圧トランス等の高電圧発生用の部品を覆うようにカバー部材を設ける。電磁誘導加熱による加熱調理器に適用してもよい。この場合、カバー部材は、加熱コイルあるいはインバータ回路等の電源装置を覆う。
【図面の簡単な説明】
【００２８】
【図１】本発明の加熱調理器内部を側面から見た図
【図２】加熱調理器の内部を透視した正面図
【図３】加熱調理器の側面図
【図４】加熱調理器内部の風の流れを示す図
【図５】従来の加熱調理器内部を側面から見た図
【図６】従来の加熱調理器の内部を透視した正面図
【図７】従来の加熱調理器の側面図
【図８】従来の加熱調理器内部の風の流れを示す図
【符号の説明】
【００２９】
１    ヒータボックス
２    キャビネット
３    高圧コンデンサ
４    ソリッドステートリレー
５    加熱庫
７    送風機
８    吸気口
１１    隔壁
１２    隔離空間
【図１】
2005180801.tif 000003
【図２】
2005180801.tif 000004
【図３】
2005180801.tif 000005
【図４】
2005180801.tif 000006
【図５】
2005180801.tif 000007
【図６】
2005180801.tif 000008
【図７】
2005180801.tif 000009
【図８】
2005180801.tif 000010